(57)【要約】【課題】  起動時の給電状態に応じて、通信インタフェースに接続する端末装置との間のデータ通信を制御する。【解決手段】  端末装置と有線で接続するための有線インタフェースと、無線で接続するための無線部とを有する無線通信装置において、起動時の給電状態を判別し、その判別の結果に基づいて有線インタフェースに接続する端末装置と無線部により接続する他の端末装置との間のデータ通信を中継する。【選択図】      図２
2006259915.tif 000002
【特許請求の範囲】
【請求項１】
端末装置と有線で接続するための有線インタフェースと、無線で接続するための無線部とを有する通信装置であって、
給電状態を判別する判別手段と、
前記判別の結果に基づいて前記端末装置と無線部により接続する他の端末装置との間のデータ通信を中継する通信制御手段とを有することを特徴とする通信装置。
【請求項２】
前記判別手段は、前記有線インタフェースに接続した端末装置から給電された状態か、外部電源から給電された状態かを判別することを特徴とする請求項１記載の通信装置。
【請求項３】
前記通信制御手段は、前記給電状態が外部電源から給電された状態で、かつ当該端末装置がプリンタの場合、該プリンタと前記無線部により接続する他の端末装置との間のデータ通信を中継することを特徴とする請求項２記載の通信装置。
【請求項４】
前記通信制御手段は、前記無線部により撮像装置が接続される場合、当該撮像装置との無線接続が完了するまでの間、前記プリンタとのデータ通信を抑制することを特徴とする請求項３記載の通信装置。
【請求項５】
端末装置と有線で接続するための有線インタフェースと、無線で接続するための無線部とを有する通信装置の制御方法であって、
給電状態を判別する判別工程と、
前記判別の結果に基づいて前記端末装置と無線部により接続する他の端末装置との間のデータ通信を中継する通信制御工程とを有することを特徴とする通信装置の制御方法。
【請求項６】
請求項５記載の通信装置の制御方法をコンピュータに実行させるためのプログラム。
【請求項７】
請求項６記載のプログラムを記録したコンピュータ読み取り可能な記録媒体。
【請求項８】
他の装置と有線接続するための第１及び第２の有線インタフェイスと、無線接続するための無線部とを有する通信装置であって、
給電状態を判別する判別手段と、
他の装置と第１のインタフェイスを介して接続しているか、第２のインタフェイスを介して接続しているかを識別する識別手段と、
前記判別手段による判別と、前記識別手段による識別とに応じて、接続機器と前記無線部の設定処理、接続機器への装置種別の問合せ処理、前記無線部による無線接続処理を実行する実行手段と、を有することを特徴とする通信装置。
【請求項９】
第１及び第２の有線インタフェイスを介して接続する装置の対して擬似的に再接続を認識させる手段を有することを特徴とする請求項８に記載の通信装置。
【発明の詳細な説明】
【技術分野】
【０００１】
本発明は、端末装置と有線で接続するための有線インタフェースと、無線で接続するための無線部とを有する通信装置及びその制御方法に関する。
【背景技術】
【０００２】
デジタルカメラとプリンタとを直接有線で接続し、印刷を行う方法が提案されている。プリンタとデジタルカメラとの間では、例えば特許文献１に記載された動作フローで制御情報と印刷データがやり取りされる。
【０００３】
また、物理層の異なるネットワーク間で信号を乗せ換える技術に関しては、例えば特許文献２に開示されている。
【０００４】
以下、本発明においては、プリンタとはデジタルカメラとの間を物理的若しくは論理的に接続し、デジタルカメラからのデータを直接受け取ることができるものをいう。
【特許文献１】特登録03530847号公報
【特許文献２】特開平10-257119号公報
【発明の開示】
【発明が解決しようとする課題】
【０００５】
図１は、デジタルカメラとプリンタとの有線接続例を示す図である。図１に示すように、デジタルカメラ１０１とプリンタ１０２とを直接ＵＳＢなどの有線のケーブル１０３で接続し、画像データを印刷する場合、ユーザは使用前後で有線ケーブル１０２を抜き差しする必要がある。そこで、ユーザの煩雑な操作さを軽減させる意味でケーブルの無線化が検討されている。
【０００６】
単に、無線対応のデジタルカメラと無線対応のプリンタとで無線化が可能であることは当然のことではあるが、同時に既存の有線対応のプリンタに無線通信装置を接続することで既存の有線プリンタを利用するユーザも無線化のサービスを享受したい、という要望がある。
【０００７】
しかしながら、既存の有線プリンタでの動作は、例えば特許文献１にあるように、有線で接続されると自動的にデジタルカメラと接続された動作シーケンスが動作してしまう。
【０００８】
そのため、無線通信装置とプリンタとは接続しているが、無線対応のデジタルカメラと無線通信装置との間の無線接続が完了しているかは保証がない。既存のプリンタは、有線ケーブルが刺さると、即ちカメラが接続されたものとして動作するため、実際の通信時に、デジタルカメラが論理的に接続されていない状況では動作上不安定となり、動作を保証できない。無線対応のプリンタであれば、無線接続状況を踏まえて直接通信用プロトコルの動作を制御できるが、既存の有線のみに対応したプリンタに取り付ける無線通信装置の場合、物理的に装置が分かれており、また、有線のみに対応したプリンタには無線関係の制御手段も無い。
【０００９】
本発明は上記課題を解決するためになされたもので、給電状態に応じて、通信インタフェースに接続する端末装置との間のデータ通信を制御することを目的とする。
【課題を解決するための手段】
【００１０】
本発明は、端末装置と有線で接続するための有線インタフェースと、無線で接続するための無線部とを有する通信装置であって、給電状態を判別する判別手段と、前記判別の結果に基づいて前記端末装置と無線部により接続する他の端末装置との間のデータ通信を中継する通信制御手段とを有することを特徴とする。
【００１１】
また、本発明は、端末装置と有線で接続するための有線インタフェースと、無線で接続するための無線部とを有する通信装置の制御方法であって、給電状態を判別する判別工程と、前記判別の結果に基づいて前記端末装置と無線部により接続する他の端末装置との間のデータ通信を中継する通信制御工程とを有することを特徴とする。
【発明の効果】
【００１２】
本発明によれば、給電状態に応じて、有線インタフェースに接続する端末装置と無線部により接続する他の端末装置との間のデータ通信を中継することにより、ユーザの利便性を向上させることができる。
【発明を実施するための最良の形態】
【００１３】
以下、図面を参照しながら発明を実施するための最良の形態について詳細に説明する。
【００１４】
［第１の実施形態］
図２は、第１の実施形態におけるデジタルカメラとプリンタとの接続形態例を示す図である。図２において、２０１は無線対応のデジタルカメラであり、IEEE802.11b/11g/11aなどに代表されるWLAN（Wireless Local Area Network）やBluetooth（登録商標）などの無線通信機能を有する。２０２は無線通信装置であり、ＵＳＢや無線ＬＡＮなどの複数の通信インタフェースを有する無線通信装置である。無線通信装置２０２は、ＵＳＢケーブル２０３でプリンタ２０４と接続されると共に、無線ＬＡＮによりデジタルカメラ２０１と通信を行い、デジタルカメラ２０１から送信された画像データをＵＳＢケーブル２０３を介してプリンタ２０４へ送信する。２０４は既存の有線（ＵＳＢケーブル）対応のプリンタである。
【００１５】
２０５はパーソナルコンピュータ（ＰＣ）であり、ＰＣ２０５から無線通信装置２０２への無線情報設定のペアリングを行う際に、ＵＳＢケーブル２０６によって無線通信装置２０２とＵＳＢ接続が行われる。また、ＰＣ２０５は上述の近距離無線通信機能を有し、無線通信装置２０２と無線ＬＡＮにより通信することも可能である。
【００１６】
また、無線通信装置２０２は、デジタルカメラ２０１とＵＳＢケーブル２０７によってＵＳＢ接続された場合、デジタルカメラ２０１と無線情報設定のペアリングを行う。
【００１７】
次に、図３を用いて、上述した複数の動作モードと複数の通信インタフェースを有する無線通信装置２０２の構成について説明する。
【００１８】
図３は、第１の実施形態における無線通信装置２０２の構成の一例を示すブロック図である。図３において、３０１はＣＰＵ、３０２はＲＡＭ、３０３はＲＯＭ、３０４は電源制御部、３０５はＵＳＢデバイスコントローラ（USB-Device-Ctr）、３０６はＵＳＢホストコントローラ（USB-Host-Ctr）、３０７は無線部、３０８は無線通信装置２０２の内部バスである。
【００１９】
３０９はＵＳＢデバイス（USB-Device）コネクタ、３１０はＵＳＢホスト（USB-Host）コネクタ、３１１はＵＳＢデバイスが接続されたか否かを検出する信号（Vbus）である。３１２は電源制御部３０４をＣＰＵ３０１が制御するための制御信号、３１３は電源制御部３０４により制御されるＵＳＢホストコントローラ３０６用電源、３１４は電源制御部３０４により制御される無線部３０７用電源、３１５は電源制御部３０４により制御されるＵＳＢデバイスコントローラ３０５用電源である。
【００２０】
そして、３１６は無線通信装置２０２の接続状態などを表示するＬＣＤやＬＥＤなどで構成された表示器である。
【００２１】
図４は、ＵＳＢデバイス側でデータ信号線を用いたＵＳＢバスリセットの構成の一例を示す図である。図４において、４０１、４０２はＵＳＢデータ信号線、４０３、４０４はプルアップ抵抗（PullUP抵抗）、４０５、４０６はプルアップ抵抗とデータ信号線の接続を制御するスイッチである。
【００２２】
ここで、図５を用いてＵＳＢデバイスコントローラ３０５が行うＵＳＢバスリセットについて説明する。尚、このＵＳＢバスリセットは、ＣＰＵ３０１が信号（Vbus）３１１をモニタし、ＵＳＢデバイスコントローラ３０５を制御してプルアップ抵抗４０３、４０４をオン又はオフにすることで行われる処理である。
【００２３】
図５は、第１の実施形態におけるＵＳＢバスリセットの処理を示すフローチャートである。まず、ステップＳ５０１において、ＵＳＢのデータ信号線４０１、４０２に取り付けられたプルアップ抵抗４０３、４０４をスイッチ４０５、４０６によって切り離す。次に、ステップＳ５０２において、信号（Vbus）３１１をモニタし、ロー（Low）であれば、ＵＳＢホスト機器がＵＳＢデバイスコネクタ３０９に接続していないため、エラーを表示し、終了する。
【００２４】
また、信号３１１をモニタし、ハイ（High）であれば、ＵＳＢホスト機器がＵＳＢデバイスコネクタ３０９に接続しているので、ステップＳ５０３へ進み、データ信号線４０１、４０２と切り離されているプルアップ抵抗４０３、４０４をスイッチ４０５、４０６によってデータ信号線４０１、４０２に接続する。この時、２つのプルアップ抵抗４０３、４０４をデータ信号線４０１、４０２にそれぞれ接続するか、どちらか１つを接続するかは自身がサポートするＵＳＢ通信速度によるものとする。
【００２５】
次に、図６を用いて、無線通信装置２０２のＵＳＢデバイスコネクタ４０９又はＵＳＢホストコネクタ３１０に他の機器としてＰＣ２０６やプリンタ２０４又はカメラ２０１がＵＳＢケーブルで接続された場合に、ＣＰＵ３０１が実行する接続制御処理について説明する。
【００２６】
図６は、第１の実施形態における無線通信装置の接続制御処理を示すフローチャートである。無線通信装置２０２は、電源が投入されると、ステップＳ６０１へ進み、給電状態をチェックする。ここで、この給電がＵＳＢのバス給電によるものであると判定すると、ＰＣ２０５と接続したと判断し、ステップＳ６０２へ進む。このステップＳ６０２では、電源制御部３０４を制御し、ＵＳＢデバイスコントローラ３０５に給電し、続くステップＳ６０３で、ＵＳＢデバイスのバスリセットを行う。バスリセットを行うことにより擬似的にＵＳＢの再接続を接続機器に通知することができる。バスリセット後、ステップＳ６０４において、ＰＣ２０５側からＵＳＢデバイス種別の問い合わせを受信し、その問い合わせに応答した後に、ペアリング情報の授受を行うモードに移行するコマンドを受信すると、ステップＳ６０５へ進み、無線通信装置２０２はペアリングモードに移行する。
【００２７】
ペアリングモードでは、予め無線通信装置２０２が持っている無線通信設定情報をＰＣ２０５側に渡すか、ＰＣ２０５側で設定した無線通信設定情報を無線通信装置２０２が受け取る。ここで、無線通信設定情報は、無線ＬＡＮに接続するためのネットワーク識別子（SSID）、暗号化情報、ダイレクトプリント用機器ＩＤなど、通信を行う上で必要となる情報のことである。このペアリング情報の授受が終了すると、ＬＥＤなどの表示器３１６でペアリング終了をユーザに通知し、ユーザが無線通信装置２０２とＰＣ２０５とを接続しているＵＳＢケーブル２０６を取り外し、この処理を終了する。
【００２８】
また、上述したステップＳ６０４において、デバイス種別の問い合わせに応答した後、一定時間内に、ペアリングモード開始コマンドが送られてこない、又はペアリングモード開始コマンド以外の情報が送られてきた場合には、表示器３１６を用いてペアリング失敗をユーザに通知し、この処理を終了する。
【００２９】
一方、ステップＳ６０１において、給電状態をチェックした結果、この給電が外部給電であると判定すると、ステップＳ６０７へ進み、電源制御部３０４を制御し、ＵＳＢデバイスコントローラ３０５及びＵＳＢホストコントローラ３０６に電源を給電する。そして、ステップＳ６０８、Ｓ６１４において、ＵＳＢデバイスコントローラ３０５及びＵＳＢホストコントローラ３０６を交互にモニタし、接続機器の有無を確認する。
【００３０】
ステップＳ６１４において、ＵＳＢホストコントローラ３０６で接続機器を検出すると、ステップＳ６１５へ進み、その接続機器にデバイス種別を問い合わせる。そして、ステップＳ６１６でデバイスの種別を判別し、デジタルカメラ２０１でなければ表示器３１６にデジタルカメラ以外のものが接続したことを表示し、この処理を終了する。
【００３１】
また、上述のステップＳ６１６において、デジタルカメラ２０１であれば、ステップＳ６１７へ進み、ペアリングモードに移行する。このペアリングモードでは、予め無線通信装置２０２が持っている無線通信設定情報をデジタルカメラ２０１側に渡すか、デジタルカメラ２０１側が既に持っている無線通信設定情報を無線通信装置２０２が受け取る。
【００３２】
ここで、無線通信設定情報は、無線ＬＡＮに接続するためのネットワーク識別子（SSID）、暗号化情報、ダイレクトプリント用機器ＩＤなど、通信を行う上で必要となる情報のことである。このペアリング情報の授受が終了すると、ＬＥＤなどの表示器３１６でペアリング終了をユーザに通知し、ユーザが無線通信装置２０２とデジタルカメラ２０１とを接続しているＵＳＢケーブル２０７を取り外し、この処理を終了する。
【００３３】
次に、上述したステップＳ６０８において、ＵＳＢデバイスコントローラ３０５で接続機器を検出した場合に、無線通信装置２０２が実行する処理を、図７に示すシーケンスを参照して説明する。ここでは、無線対応のデジタルカメラ２０１が無線通信装置２０２を介して既存の有線対応のプリンタ２０４に無線通信により画像データファイルを転送し、プリンタ２０４で印刷を行う場合を例に説明する。
【００３４】
図７は、第１の実施形態における無線通信装置２０２を介してデジタルカメラ２０１とプリンタ２０４が無線により印刷を行う場合のシーケンスを示す図である。
【００３５】
まず、上述したステップＳ６０８において、ＵＳＢデバイスコントローラ３０５で接続機器を検出すると（７０１）、プリンタ２０４と接続したとみなし、ステップＳ６０９へ進む。ステップＳ６０９では、電源制御部３０４を制御し、無線部３０７に電源３１４を投入する。
【００３６】
次に、ステップＳ６１０において、ペアリングで受け取った若しくは最初から無線通信装置２０２が持ち合わせている無線通信設定情報に基づき、無線接続を行う（７０２）。そして、無線接続が完了すると（７０３）、無線通信装置２０２から無線ネットワーク内にネットワーク参加通知信号がブロードキャスト信号として報知される（７０４）。ここで、無線ネットワークに接続しているデジタルカメラ２０１において、ユーザがプリント処理を選択すると、サービス能力問い合わせ信号がネットワーク内にブロードキャストで送信される（７０５）。
【００３７】
一方、デジタルカメラ２０１が要求しているサービスはプリンタ処理であり、この例では、無線通信装置２０２はプリンタ処理が可能であるので、プリンタ処理を要求しているデジタルカメラ２０１に対して、サービスを持つ旨、通知する（７０６）。このサービス通知を受けたデジタルカメラ２０１は、無線通信装置２０２に対して、機器情報問い合わせを送信する（７０７）。
【００３８】
これにより、無線通信装置２０２は自身の機器情報を通知する（７０８）。この機器情報内にＩＰや上位アプリケーションで使用する機器ＩＤが含まれ、デジタルカメラ２０１はペアリング時の授受データに含まれる無線通信装置２０２の機器ＩＤと、ネットワーク参加通知の機器ＩＤが一致すると、無線通信装置２０２の所定のポートに対して、ＴＣＰコネクトを実行する（７０９）。
【００３９】
次に、ステップＳ６１１において、所定のポートに対するＴＣＰコネクトを受けた無線通信装置２０２はＵＳＢデバイスコントローラ３０５で上述のＵＳＢバスリセットを行い（７１０）、ＵＳＢ接続相手に自分が接続したことを認識させる。次に、プリンタ２０４からのデバイス種別の問い合わせ（７１１）に応答すると（７１２）、プリンタ２０４はデジタルカメラ２０１と有線接続したものとみなし、デジタルカメラ２０１との間で有線ダイレクトプリントのシーケンスを実行する（７１３）。
【００４０】
これにより、ステップＳ６１２からステップＳ６１３へ進み、デジタルカメラ２０１で無線ダイレクトプリントが可能となる（７１４）。この時、バスリセット後（７１０）、接続機器からのデバイスクラスに応答した後、一定時間内に接続機器からＰＴＰオープンセッション（７１３）が実行されない場合（ステップＳ６１２のＮｏ又はタイムアウト）には、接続機器が印刷装置以外であることを表示器３１６を用いて表示し、この無線通信を切断し、この処理を終了する。
【００４１】
尚、ＵＳＢデバイスコントローラ３０５で接続機器を検出した場合に、無線通信相手がＰＣ２０５の場合であっても同様の手順でＰＣ２０５から無線ダイレクトプリントが可能である。
【００４２】
また、無線接続の形態が、IEEE802.11で規定されたインフラストラクチャモードとアドホックモードの何れであっても同様に動作する。例えば、アドホックモードの場合、通信相手となるデジタルカメラ２０１若しくはＰＣ２０５との間で無線接続を行い、無線アドホックネットワーク内に対してのみブロードキャスト信号を送信する。
【００４３】
また、図８に示すインフラストラクチャモードの場合、無線通信装置２０２はアクセスポイント８０１と無線接続を行い、アクセスポイント８０１が管理する無線ネットワークと、アクセスポイント８０１が接続している有線ネットワーク８０２とに対してブロードキャスト信号を送信する。
【００４４】
従って、インフラストラクチャモードとアドホックモードの違いは、アドホックモードの時には相手装置も同じ無線ネットワークに接続している必要があるが、インフラストラクチャモードでは相手装置はブロードキャスト信号が届くネットワーク内であれば、有線接続でも無線接続でもかまわないという点だけである。
【００４５】
［第２の実施形態］
次に、図面を参照しながら本発明に係る第２の実施形態について詳細に説明する。第２の実施形態として、無線通信装置２０２が、例えば内蔵の電池駆動などで動作し、ＵＳＢ給電で動作しない場合について説明する。
【００４６】
尚、第２の実施形態における無線通信装置の構成は、第１の実施形態の図３に示す構成と同様であり、その説明は省略する。
【００４７】
また、無線通信装置の処理も第１の実施形態の図６に示すフローチャートと同様であり、図６を参照して説明する。
【００４８】
初期化終了後、ステップＳ６０１において、ＣＰＵ３０１が、ＵＳＢデバイスコネクタ３０９のVBUS信号３１１をチェックする。ここで、信号（Vbus）３１１がハイ（High）になっていれば、ＵＳＢホスト機器と接続しているとみなし、第１の実施形態のＵＳＢ給電時の処理を行い（Ｓ６０２〜Ｓ６０５）、また信号３１１がロー（Low）であればＵＳＢホスト機器とは接続していないとみなし、第１の実施形態の外部給電時の処理を実行する（Ｓ６０７〜Ｓ６１７）。
【００４９】
このように、電源投入後の信号３１１の状態をチェックすることで、第１の実施形態と同様に、処理を実行することができる。
【００５０】
尚、第１の実施形態及び第２の実施形態において、シーケンス実行時にユーザがＵＳＢデバイスコネクタに所望のプリンタを接続しても良い旨、表示器３１６に表示することが望ましい。
【００５１】
以上説明したように、第１及び第２の実施形態によれば、有線での直接印刷能力は持つが無線対応でないプリンタと無線通信装置を接続することで、無線対応のカメラとの間で無線通信によって印刷データを通信することが可能となる。
【００５２】
尚、本発明は複数の機器（例えば、ホストコンピュータ，インターフェース機器，リーダ，プリンタなど）から構成されるシステムに適用しても、１つの機器からなる装置（例えば、複写機，ファクシミリ装置など）に適用しても良い。
【００５３】
また、本発明の目的は、前述した実施形態の機能を実現するソフトウェアのプログラムコードを記録した記録媒体を、システム或いは装置に供給し、そのシステム或いは装置のコンピュータ（ＣＰＵ若しくはＭＰＵ）が記録媒体に格納されたプログラムコードを読出し実行することによっても、達成されることは言うまでもない。
【００５４】
この場合、記録媒体から読出されたプログラムコード自体が前述した実施形態の機能を実現することになり、そのプログラムコードを記憶した記録媒体は本発明を構成することになる。
【００５５】
このプログラムコードを供給するための記録媒体としては、例えばフロッピー（登録商標）ディスク，ハードディスク，光ディスク，光磁気ディスク，ＣＤ−ＲＯＭ，ＣＤ−Ｒ，磁気テープ，不揮発性のメモリカード，ＲＯＭなどを用いることができる。
【００５６】
また、コンピュータが読出したプログラムコードを実行することにより、前述した実施形態の機能が実現されるだけでなく、そのプログラムコードの指示に基づき、コンピュータ上で稼働しているＯＳ（オペレーティングシステム）などが実際の処理の一部又は全部を行い、その処理によって前述した実施形態の機能が実現される場合も含まれることは言うまでもない。
【００５７】
更に、記録媒体から読出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵなどが実際の処理の一部又は全部を行い、その処理によって前述した実施形態の機能が実現される場合も含まれることは言うまでもない。
【図面の簡単な説明】
【００５８】
【図１】デジタルカメラとプリンタとの有線接続例を示す図である。
【図２】第１の実施形態におけるデジタルカメラとプリンタとの接続形態例を示す図である。
【図３】第１の実施形態における無線通信装置の構成の一例を示すブロック図である。
【図４】ＵＳＢデバイス側でデータ信号線を用いたＵＳＢバスリセットの構成の一例を示す図である。
【図５】第１の実施形態におけるＵＳＢバスリセットの処理を示すフローチャートである。
【図６】第１の実施形態における無線通信装置の接続制御処理を示すフローチャートである。
【図７】第１の実施形態における無線通信装置２０２を介してデジタルカメラ２０１とプリンタ２０４が無線により印刷を行う場合のシーケンスを示す図である。
【図８】インフラストラクチャモードにおける接続形態の一例を示す図である。
【符号の説明】
【００５９】
１０１  デジタルカメラ
１０２  プリンタ
１０３  ＵＳＢケーブル
２０１  無線対応のデジタルカメラ
２０２  無線通信装置
２０３  ＵＳＢケーブル
２０４  有線対応のプリンタ
２０５  パーソナルコンピュータ（ＰＣ）
２０６  ＵＳＢケーブル
２０７  ＵＳＢケーブル
３０１  ＣＰＵ
３０２  ＲＡＭ
３０３  ＲＯＭ
３０４  電源制御部
３０５  ＵＳＢデバイスコントローラ（USB-Device-Ctr）
３０６  ＵＳＢホストコントローラ（USB-Host-Ctr）
３０７  無線部
３０８  内部バス
３０９  ＵＳＢデバイス（USB-Device）コネクタ
３１０  ＵＳＢホスト（USB-Host）コネクタ
３１１  信号（Vbus）
３１２  制御信号
３１３  ＵＳＢホストコントローラ３０６用電源
３１４  無線部３０７用電源
３１５  ＵＳＢデバイスコントローラ３０５用電源
３１６  表示器
４０１  ＵＳＢデータ信号線
４０２  ＵＳＢデータ信号線
４０３  プルアップ抵抗（PullUP抵抗）
４０４  プルアップ抵抗（PullUP抵抗）
４０５  スイッチ
４０６  スイッチ
【図１】
2006259915.tif 000003
【図２】
2006259915.tif 000004
【図３】
2006259915.tif 000005
【図４】
2006259915.tif 000006
【図５】
2006259915.tif 000007
【図６】
2006259915.tif 000008
【図７】
2006259915.tif 000009
【図８】
2006259915.tif 000010